(57)【要約】      （修正有）【課題】造形を多様化できるＵＳＢフラッシュドライブ保護ブーツ構造を提供する。【解決手段】弾性体からなり、間隔的に被覆ブロック１１と収納空間１２が設けられ、上記被覆ブロックに、開口１３が形成され、上記収納空間において連接突起部１４が形成され、装飾ブーツ１０と、第一端面により装飾ブーツの収納空間に実装され、第二端面が、装飾ブーツから露出し、第一端面に連接孔２２が形成され、連接孔に装飾ブーツの連接突起部１４が貫設され、被覆ブロックへ向かう方向に収納槽２３を形成する。さらに、収納槽２３にフラッシュドライブＡが挿設され、フラッシュドライブの他端が、被覆ブロックの開口に挿入される保護ブーツ２０とが含有され、保護ブーツによりフラッシュドライブを保護することができる。装飾ブーツ１０により、保護ブーツの造型を変更することができ、また、開口の縁を利用して保護ブーツの一部が装飾ブーツから露出するため、保護ブーツが容易に装飾ブーツから脱離できるように構成する。【選択図】図２
0003177308.tif 000002
【実用新案登録請求の範囲】
【請求項１】
弾性体からなり、間隔的に被覆ブロックと収納空間が設けられ、上記被覆ブロックにおいて、収納空間に向かう開口が形成され、開口の一端面に案内斜面が形成され、上記収納空間において、内部に連接突起部が形成される装飾ブーツと、
第一端面と第二端面が設けられてあり、第一端面により、装飾ブーツの収納空間内に実装され、第二端面が、装飾ブーツから露出し、第一端面に連接孔が形成され、連接孔に装飾ブーツの連接突起部が貫設され、被覆ブロックへ向かう方向に、収納槽が形成され、収納槽にフラッシュドライブが挿設され、フラッシュドライブの他端が、被覆ブロックの開口に挿入される保護ブーツと
が含有される
ことを特徴とするフラッシュドライブ保護ブーツ構造。
【請求項２】
上記被覆ブロックが、分離して装飾ブーツに実装されることを特徴とする請求項１に記載のフラッシュドライブ保護ブーツ構造。
【請求項３】
上記被覆ブロックに固定孔が形成され、装飾ブーツに、被覆ブロックに合わせて固定突起部が突出し、被覆ブロックの固定孔に、装飾ブーツの固定突起部が貫設されることを特徴とする請求項２に記載のフラッシュドライブ保護ブーツ構造。
【請求項４】
上記装飾ブーツにおいて、収納空間の開口の縁に貼付面が形成され、上記保護ブーツにおいて、装飾ブーツの貼付面に合わせて、外表面にリング状に装飾ブーツの貼付面に当接する段差部が形成されることを特徴とする請求項１に記載のフラッシュドライブ保護ブーツ構造。
【請求項５】
上記装飾ブーツにおいて、連接突起部に凹部が形成され、上記保護ブーツにおいて、連接孔に突起部が設けられ、上記保護ブーツが、突起部により、装飾ブーツの凹部に係止されることを特徴とする請求項１に記載のフラッシュドライブ保護ブーツ構造。
【請求項６】
上記装飾ブーツの収納空間の壁面が、円弧状になることを特徴とする請求項１に記載のフラッシュドライブ保護ブーツ構造。
【請求項７】
上記装飾ブーツの表面に通孔が形成され、上記通孔にストラップが嵌設されることを特徴とする請求項１に記載のフラッシュドライブ保護ブーツ構造。
【請求項８】
上記装飾ブーツの外表面にフェイス部が形成され、装飾ブーツの一端に体部が伸びることを特徴とする請求項１に記載のフラッシュドライブ保護ブーツ構造。
【請求項９】
上記フェイス部が、中国の古典劇の臉譜模様でなることを特徴とする請求項８に記載のフラッシュドライブ保護ブーツ構造。
【考案の詳細な説明】
【技術分野】
【０００１】
本考案は、フラッシュドライブ保護ブーツ構造に関するものであり、さらに詳しくは、ＵＳＢフラッシュドライブを保護する保護ブーツと、保護ブーツの形状を多様化可能な装飾ブーツとからなるＵＳＢフラッシュドライブ保護ブーツ構造に関するものである。
【背景技術】
【０００２】
ＵＳＢフラッシュドライブは、容量が大きく、伝送速度が速く、また、携帯が容易であり、コストが低いために使用上の利便性に富み、プラグアンドプレー等の利点が得られるため、データ伝送に、大幅に普及している。しかし、その体積が小さいため、不注意により紛失しやすく、また、主として、身体への携帯利便性が強調されるあまり、携帯により、上記ジョイントの部分が、衝撃や摩耗により支障が発生しやすく、そして、外部の天候変化やユーザーの体温変化により、フラッシュドライブが、湿気を受け易いため、短絡状態になり、耐用性が低減するという問題がある。また、ＵＳＢフラッシュドライブの造型も、ユーザーの携帯意欲に影響し、購入するときの考慮要素の一つになり、そのため、単調なフラッシュドライブの外観では、ユーザーの視線を吸引できず、ＵＳＢフラッシュドライブの付加価値を向上させることができない。また、ＵＳＢフラッシュドライブの耐用寿命を考えると、ユーザーが、ＵＳＢフラッシュドライブの形態に関心をなくした場合にも、その外観を変更することができない、という問題もある。
【考案の概要】
【考案が解決しようとする課題】
【０００３】
本考案の主な課題は、被覆ブロックと保護ブーツとを設計して、フラッシュドライブを、被覆ブロックと保護ブーツとの間に実装し、フラッシュドライブを使用していない状態において、保護でき、また、フラッシュドライブが、衝撃や摩擦による支障が発生することを防止することができ、そして、フラッシュドライブに防水効果を付加させるフラッシュドライブ保護ブーツ構造を提供することにある。
【０００４】
本考案の他の課題は、上記装飾ブーツにより、上記被覆ブロックと保護ブーツが覆われ、保護ブーツの造型が多様化され、ユーザーの購入意欲を喚起でき、また、異なる装飾ブーツと交換して、造型を変換することができ、付加価値が向上したフラッシュドライブ保護ブーツ構造を提供することにある。
【０００５】
また、本考案の更に他の課題は、上記装飾ブーツにおいて、収納空間に、貼付面が設けられ、上記保護ブーツにおいて、外表面に、段差部が設けられ、貼付面と段差部により、保護ブーツと装飾ブーツとの結合強度が向上し、また、保護ブーツと装飾ブーツとは、一致した接触表面を有するフラッシュドライブ保護ブーツ構造を提供することにある。
【０００６】
本考案の更に他の課題は、上記保護ブーツが、装飾ブーツの収納空間に収納され、その第二端面で、保護ブーツの一部が、装飾ブーツから露出し、装飾ブーツから保護ブーツを取り外すことが容易になり、実用性が向上したフラッシュドライブ保護ブーツ構造を提供することにある。
【０００７】
本考案の更に他の課題は、上記被覆ブロックの開口に、案内斜面が形成され、案内斜面で、被覆ブロックと保護ブーツを分離させる際に、上記フラッシュドライブが、案内斜面を利用して退避でき、容易に、フラッシュドライブが取り出されるフラッシュドライブ保護ブーツ構造を提供することにある。
【課題を解決するための手段】
【０００８】
かくして、本考案によれば、弾性体からなり、間隔的に被覆ブロックと収納空間が設けられ、上記被覆ブロックにおいて、収納空間に向かう開口が形成され、開口の一端面に案内斜面が形成され、上記収納空間において、内部に連接突起部が形成される装飾ブーツと、
第一端面と第二端面が設けられてあり、第一端面により、装飾ブーツの収納空間内に実装され、第二端面が、装飾ブーツから露出し、第一端面に連接孔が形成され、連接孔に装飾ブーツの連接突起部が貫設され、被覆ブロックへ向かう方向に、収納槽が形成され、収納槽にフラッシュドライブが挿設され、フラッシュドライブの他端が、被覆ブロックの開口に挿入される保護ブーツと
が含有される、ことを特徴とするフラッシュドライブ保護ブーツ構造が提供される。
【０００９】
請求項２の考案によれば、上記被覆ブロックが、分離的に、装飾ブーツに実装されることを特徴とする請求項１に記載のフラッシュドライブ保護ブーツ構造が提供される。
【００１０】
請求項３の考案によれば、上記被覆ブロックに、固定孔が形成され、装飾ブーツに、被覆ブロックに合わせて固定突起部が突出し、被覆ブロックの固定孔に、装飾ブーツの固定突起部が貫設されることを特徴とする請求項２に記載のフラッシュドライブ保護ブーツ構造が提供される。
【００１１】
請求項４の考案によれば、上記装飾ブーツにおいて、収納空間の開口の縁に、貼付面が形成され、上記保護ブーツにおいて、装飾ブーツの貼付面に合わせて、外表面にリング状に装飾ブーツの貼付面に当接する段差部が形成されることを特徴とする請求項１に記載のフラッシュドライブ保護ブーツ構造が提供される。
【００１２】
請求項５の考案によれば、上記装飾ブーツにおいて、連接突起部に、凹部が形成され、上記保護ブーツにおいて、連接孔に、突起部が設けられ、上記保護ブーツが、突起部により、装飾ブーツの凹部に係止されることを特徴とする請求項１に記載のフラッシュドライブ保護ブーツ構造が提供される。
【００１３】
請求項６の考案によれば、上記装飾ブーツの収納空間の壁面が、円弧状になることを特徴とする請求項１に記載のフラッシュドライブ保護ブーツ構造が提供される。
【００１４】
請求項７の考案によれば、上記装飾ブーツの表面に、通孔が形成され、上記通孔にストラップが嵌設されることを特徴とする請求項１に記載のフラッシュドライブ保護ブーツ構造が提供される。
【００１５】
請求項８の考案によれば、上記装飾ブーツの外表面にフェイス部が形成され、装飾ブーツの一端に体部が伸びることを特徴とする請求項１に記載のフラッシュドライブ保護ブーツ構造が提供される。
【００１６】
請求項９の考案によれば、上記フェイス部が、中国の古典劇の臉譜模様になることを特徴とする請求項８に記載のフラッシュドライブ保護ブーツ構造が提供される。
【００１７】
本明細書において、ＵＳＢフラッシュドライブとは、無線方式によるフラッシュドライブを含むフラッシュドライブのうち、ＵＳＢ規格のコネクタに接続して使用するフラッシュメモリを内蔵した携帯可能な記憶装置をいう。
【考案の効果】
【００１８】
本考案は、上記の通りの請求項１〜９に係る発明の構成からなり、フラッシュドライブが衝撃、摩擦により生ずる支障の発生を防止することができ、また、防水効果を奏し、さらには保護ブーツの造形を変更することも容易であり、保護ブーツと装飾ブーツとの結合強度も向上させることができる。
【考案を実施するための最良の形態】
【００１９】
以下、図面を参照しながら、本考案の特徴や技術内容について、詳しく説明するが、それらの図面等は、参考や説明のためであり、本考案は、それらによって限定されるものではない。
【００２０】
図１乃至図４に示すように、本考案に係るフラッシュドライブ保護ブーツ構造には、装飾ブーツ１０と保護ブーツ２０が、備えられ、上記保護ブーツ２０は、ＵＳＢフラッシュドライブＡを保護するものであり、装飾ブーツ１０は、保護ブーツ２０により覆われている。上記、装飾ブーツ１０により、造型を多様化することができる。装飾ブーツ１０は、弾性体材質からなり、その内部に間隔的に、被覆ブロック１１と収納空間１２が設けられ、上記被覆ブロック１１は、収納空間１２へ向かう側に、開口１３が形成される。開口１３の一端面に、案内斜面１３１が形成される。上記装飾ブーツ１０の収納空間１２の壁面が、円弧状になり、収納空間１２において、内部に、連接突起部１４が形成され、連接突起部１４には、凹部１４１が形成される。
上記装飾ブーツ１０は、収納空間１２の開口の縁に、貼付面１２１が形成される。保護ブーツ２０には、第一端面２０１と第二端面２０２があり、上記保護ブーツ２０は、第一端面２０１が、装飾ブーツ１０の収納空間１２内に実装され、一方、第二端面２０２が、装飾ブーツ１０から露出する。
【００２１】
上記保護ブーツ２０は、装飾ブーツ１０の貼付面１２１に合わせて、外表面に、リング状に段差部２１が形成される。また、保護ブーツ２０の段差部２１で、装飾ブーツ１０の貼付面１２１に当接することにより、装飾ブーツ１０と保護ブーツ２０との結合強度が向上する。また、上記保護ブーツ２０において、第一端面２０１に、連接孔２２が形成される。連接孔２２に、突起部２２１が設けられ、保護ブーツ２０は、突起部２２１で、装飾ブーツ１０の凹部１４１に係止することにより、即ち、連接孔２２に、装飾ブーツ１０の連接突起部１４が嵌合されることにより、結合する。
【００２２】
また、上記保護ブーツ２０において、被覆ブロック１１へ向かう方向に、収納槽２３が形成され、収納槽２３に、ＵＳＢフラッシュドライブＡが挿設される。フラッシュドライブＡのもう一端が、被覆ブロック１１の開口１３に挿入され、ユーザーが、ＵＳＢフラッシュドライブＡを利用する時、弾性を有する装飾ブーツ１０を湾曲すれば、保護ブーツ２０と被覆ブロック１１とが、分離され、ＵＳＢフラッシュドライブＡを、被覆ブロック１１端部で開口１３から引き出すことができる。また、開口１３に形成された案内斜面１３１を利用して退避でき、ＵＳＢフラッシュドライブＡが、より簡単に引き出される。或いは、保護ブーツ２０の連接孔２２を、装飾ブーツ１０の連接突起部１４から、抜き出し、保護ブーツ２０と装飾ブーツ１０とが分離することができる。
【００２３】
また、第二端面２０２で、保護ブーツ２０の一部が、装飾ブーツ１０から露出する。これにより、保護ブーツ２０が、容易に、装飾ブーツ１０から分離することができ、ワンタッチでＵＳＢフラッシュドライブＡを取り出すことができる。上記のフラッシュドライブ保護ブーツ構造によれば、本考案は、保護ブーツ２０により、ＵＳＢフラッシュドライブＡを保護する効果を実現することができ、また、装飾ブーツ１０により、保護ブーツ２０の造型多様化を実現することができ、実用性が向上することができる。
【００２４】
本考案の他の実施形態によれば、図５と図６に示すように、主として、装飾ブーツ１０と保護ブーツ２０があり、装飾ブーツ１０は、弾性体材質からなり、間隔的に被覆ブロック１１と収納空間１２が設けられる。上記被覆ブロック１１は、分離可能に、装飾ブーツ１０に実装され、上記被覆ブロック１１に、固定孔１１１が形成される。装飾ブーツ１０において、被覆ブロック１１に合わせて、固定突起部１５が突出し、また、被覆ブロック１１の固定孔１１１と、装飾ブーツ１０の固定突起部１５とを嵌合することにより、接合される。そして、上記被覆ブロック１１において、収納空間１２の一側に、開口１３が形成され、開口１３の一端面に、案内斜面１３１が形成される。
【００２５】
また、上記収納空間１２において、内部に、連接突起部１４が形成され、保護ブーツ２０が、装飾ブーツ１０の収納空間１２に実装され、上記保護ブーツ２０に、連接孔２２が形成され、保護ブーツ２０は、突起部２２１で、装飾ブーツ１０の凹み部１４１に係止することにより、即ち、連接孔２２と装飾ブーツ１０の連接突起部１４とが嵌合されることにより、また、上記保護ブーツ２０は、被覆ブロック１１の方向に、収納槽２３が形成され、収納槽２３に、ＵＳＢフラッシュドライブＡが挿設される。
【００２６】
そして、ＵＳＢフラッシュドライブＡのもう一端が、被覆ブロック１１の開口１３に挿入され、ユーザーが、ＵＳＢフラッシュドライブＡを使用する時、弾性を有する装飾ブーツ１０を湾曲すれば、保護ブーツ２０と被覆ブロック１１とが、分離され、開口１３に形成された案内斜面１３１により、退避して、ＵＳＢフラッシュドライブＡが、より簡単に取り出される。そして、被覆ブロック１１と保護ブーツ２０とが、装飾ブーツ１０の収納空間１２から、抜き出され、被覆ブロック１１と保護ブーツ２０及び装飾ブーツ１０が、分離される状態になり、これにより、素早くＵＳＢフラッシュドライブＡを取り出すことができる。
【００２７】
また、図７のように、上記装飾ブーツ１０の表面に、通孔１６が形成され、上記通孔１６に、ストラップ１７が貫設され、また、図８のように、上記装飾ブーツ１０の外表面に、フェイス部１８が形成され、また、装飾ブーツ１０の一端に、体部１９が伸び、即ち、装飾ブーツ１０が、異なる外観が現れるように設計することができる。また、本考案によって開示された造型に限らず、また、図９のように、上記フェース部１８は、中国の古典劇の臉譜の模様で、以上のように、装飾ブーツ１０の造型を変更することにより、ユーザーの購入意欲を向上させることができる。
【００２８】
上記の具体的な実施形態の構造によれば、
１、上記被覆ブロック１１に、開口１３が設けてあり、保護ブーツ２０に、開口１３に合わせて、収納槽２３が形成され、被覆ブロック１１と保護ブーツ２０とが対応して設置されることにより、ＵＳＢフラッシュドライブＡが、被覆ブロック１１と保護ブーツ２０との間に実装され、ＵＳＢフラッシュドライブＡを使用していない状態では、保護され、ＵＳＢフラッシュドライブＡが、衝撃や摩擦により、支障を起こることを防止できる。また、ＵＳＢフラッシュドライブＡに、防水効果を与えること。
【００２９】
２、上記装飾ブーツ１０は、上記被覆ブロック１１と保護ブーツ２０に覆われ、保護ブーツ２０の造型を変更でき、ユーザーの購入意欲を向上させる効果が得られ、また、異なる装飾ブーツ１０を変更することにより、その付加価値を向上させること。    
【００３０】
３、上記装飾ブーツ１０において、収納空間１２に、貼付面１２１が設けられ、上記保護ブーツ２０において、外表面に、段差部２１が形成され、貼付面１２１と段差部２１に合わせて、保護ブーツ２０と装飾ブーツ１０との結合強度が向上し、また、保護ブーツ２０と装飾ブーツ１０との間において、一致して接触表面が得られること。
【００３１】
４、上記保護ブーツ２０が、装飾ブーツ１０の収納空間１２に収納される。また、第二端面２０２を利用して、保護ブーツ２０の一部が、装飾ブーツ１０から露出し、これにより、保護ブーツ２０が、容易に、装飾ブーツ１０から脱離でき、実用性が向上すること。
【００３２】
５、上記被覆ブロック１１において、開口１３に、案内斜面１３１が形成され、案内斜面１３１により、被覆ブロック１１と保護ブーツ２０とが湾曲されて分離される場合、上記ＵＳＢフラッシュドライブＡが、案内斜面１３１で退避でき、容易に、ＵＳＢフラッシュドライブＡを取り出すことなどの利点が実現される。
【００３３】
以上は、本考案の好適な実施形態であり、本考案は、それらによって限定されるものでは無く、本考案に係わる実用新案登録請求の範囲や明細書の内容に基づいて行った等価の変更や修正は、全てが、本考案の範囲内に含まれる。
【図面の簡単な説明】
【００３４】
【図１】本考案の一実施形態によるＵＳＢフラッシュドライブ保護ブーツ構造の斜視図である。
【図２】本考案の一実施形態によるＵＳＢフラッシュドライブ保護ブーツ構造の分解斜視図である。
【図３】本考案の他の実施形態によるＵＳＢフラッシュドライブ保護ブーツ構造の斜視図である。
【図４】本考案の一実施形態によるＵＳＢフラッシュドライブ保護ブーツ構造の側面断面図である。
【図５】本考案の他の実施形態によるＵＳＢフラッシュドライブ保護ブーツ構造の立体分解図である。
【図６】本考案の他の一実施形態によるＵＳＢフラッシュドライブ保護ブーツ構造の側面断面図である。
【図７】本考案の一実施形態によるＵＳＢフラッシュドライブ保護ブーツ構造のストラップが附加された概念図である。
【図８】本考案の一実施形態によるＵＳＢフラッシュドライブ保護ブーツ構造の装飾ブーツの造型変更の概念図である。
【図９】本考案の一実施形態によるＵＳＢフラッシュドライブ保護ブーツ構造の装飾ブーツの中国の古典劇の臉譜の造型概念図である。
【符号の説明】
【００３５】
Ａ  ＵＳＢフラッシュドライブ
１０  装飾ブーツ
１１  被覆ブロック
１１１  固定孔
１２  収納空間
１２１  貼付面
１３  開口
１３１  案内斜面
１４  連接突起部
１４１  凹部
１５  固定突起部
１６  通孔
１７  ストラップ
１８  フェイス部
１９  体部
２０  保護ブーツ
２０１  第一端面
２０２  第二端面
２１  段差部
２２  連接孔
２２１  突起部
２３  収納槽
【図１】
0003177308.tif 000003
【図２】
0003177308.tif 000004
【図３】
0003177308.tif 000005
【図４】
0003177308.tif 000006
【図５】
0003177308.tif 000007
【図６】
0003177308.tif 000008
【図７】
0003177308.tif 000009
【図８】
0003177308.tif 000010
【図９】
0003177308.tif 000011